(57)【特許請求の範囲】
【請求項１】
コンクリート躯体に穿設した取付孔にホルダーを挿着し、該ホルダー内に、ステップの挿入部位に接着剤を保持させたステップの脚部を挿入し、ステップをコンクリート躯体に取付ける装置において、
ステップの脚部に形成した凹凸に被冠され、接着剤が含浸されるガラスウールキャップと、
前記ガラスウールキャップが挿入されて前記ステップが保持される有底中空部を有し、外周に複数の接着剤流出窓を形成し、底部側及び中間の外周にリング状の溝を形成し、基端側の外周に円弧状の凹部を形成した合成樹脂製のホルダーと、
前記ホルダーの底部側のリング状の溝に係止され、前記ホルダーの底部を被冠する水膨張ゴムパッキンキャップと、
前記ホルダーの中間のリング状の溝に係止される水膨張ゴムパッキンと、
前記ホルダーの基端側の円弧状の凹部に係止される中空円盤状のフランジと、
からなることを特徴とするコンクリート躯体へのステップの取付装置。
【発明の詳細な説明】
【技術分野】
【０００１】
本発明は、コンクリート躯体に穿設した取付孔内にホルダーを配置し、該ホルダー内にステップの挿入部位に接着剤を保持させたステップの脚部を挿入してコンクリート躯体への取付ける装置に関するものである。
【背景技術】
【０００２】
従来，合成樹脂でモールドしたコ字状ステップのコンクリート壁への装着端部に、夫々接着材を保有するキャップが被着され、該キャップと共に前記装着端部がコンクリート壁の対応する取付孔内に圧入されて接着固定するもので、キャップが金網円筒状の袋体で構成され、該キャップの入口側に外方に突出する複数の係止突片が形成されると共にこれら係止突片に隣接してステップとの合わせ溝が形成されたコンクリート壁へのステップを取付るものがあった（例えば特許文献１参照。）。
また、コンクリート躯体に穿設した取付孔内に有底筒状のホルダーを埋設し、該ホルダーの内部にカプセル型接着剤を装填してホルダーの開口部をキャップで蓋をする。そして、ステップの挿入端部にブレーカを形成し、前記キャップを突き破り、挿入端部をホルダーに押し込み、カプセル型接着剤を破砕して接着剤をホルダー内に流出させて固化させてステップを固定するものがある（例えば特許文献２参照。）。
【０００３】
【特許文献１】特開２００４−１５６３１５号公報
【特許文献２】特開２００５−１７１５７０号公報
【発明の開示】
【発明が解決しようとする課題】
【０００４】
ところで、前記従来の技術の特許文献１には、キャップが金網円筒状の袋体で構成されていたが、袋体が弾性に欠けているので、改良の余地があった。
また、特許文献２では、ホルダーがコンクリート躯体内に外周に凹凸を形成して埋め込まれているものであるが、防水や抜け防止には、改良の余地がある。
【０００５】
本発明は、従来の技術の有するこのような問題点に鑑みてなされたものであり、その目的とするところは、ガラスウール材の特性により接着剤等により固まることでガラスウール材が硬くなりステップの脚部をホルダーにより強固な固定をし、ガラスウール材が耐薬品性，耐熱性にも優れているのでガラスウール材の劣化を軽減すると共に、ホルダーをコンクリート間に装着するだけでなく接着剤により固定し、外部からの水の侵入を防止し、コンクリート駆体からホルダーの抜けを防止し、コンクリート躯体の内面の形状に合わせてホルダーが確実に固定され、ステップのがたつきを防止することができるコンクリート躯体へのステップの取付装置を提供しようとするものである。
【課題を解決するための手段】
【０００６】
上記目的を達成するために、本発明におけるコンクリート躯体へのステップの取付装置は、コンクリート躯体に穿設した取付孔にホルダーを挿着し、該ホルダー内に、ステップの挿入部位に接着剤を保持させたステップの脚部を挿入し、ステップをコンクリート躯体に取付ける装置において、
ステップの脚部に形成した凹凸に被冠され、接着剤が含浸されるガラスウールキャップと、
前記ガラスウールキャップが挿入されて前記ステップが保持される有底中空部を有し、外周に複数の接着剤流出窓を形成し、底部側及び中間の外周にリング状の溝を形成し、基端側の外周に円弧状の凹部を形成した合成樹脂製のホルダーと、
前記ホルダーの底部側のリング状の溝に係止され、前記ホルダーの底部を被冠する水膨張ゴムパッキンキャップと、
前記ホルダーの中間のリング状の溝に係止される水膨張ゴムパッキンと、
前記ホルダーの基端側の円弧状の凹部に係止される中空円盤状のフランジと、
からなるものである。
【発明の効果】
【０００７】
ステップの脚部に形成した凹凸に被冠されるガラスウールキャップを接着剤で含浸させることにより、ガラスウール材の特性により接着剤により固まることでガラスウール材が硬くなりステップの脚部をホルダーにより強固な固定をし、ガラスウール材が耐薬品性，耐熱性にも優れているのでガラスウール材の劣化を軽減させてステップのがたつきを防止し、また、ホルダーの外周に複数の接着剤流出窓を形成したことにより、ホルダーがコンクリート間に装着されるだけでなく接着剤により固定され、ホルダーの底部を被冠する水膨張ゴムパッキンキャップ及びホルダーの中間にリング状の水膨張ゴムパッキンを挿着したことにより、外部からの水の侵入を防止し、コンクリート駆体からホルダーの抜けを防止し、さらに、ホルダーの基端側に中空円盤状のフランジをコンクリート躯体面に密着させるようにしたので、フランジが揺動可能となり、コンクリート躯体の内面の形状に合わせてフランジが密着されて、よりホルダーを確実に固定し、ステップのがたつきを防止することができるコンクリート躯体へのステップの取付装置となる。
【発明を実施するための最良の形態】
【０００８】
ステップの脚部に形成した凹凸に被冠され、接着剤が含浸されるガラスウールキャップと、ガラスウールキャップが挿入されてステップが保持される有底中空部を有し、外周に複数の接着剤流出窓を形成し、底部側及び中間の外周にリング状の溝を形成し、基端側の外周に円弧状の凹部を形成した合成樹脂製のホルダーと、ホルダーの底部側のリング状の溝に係止され、ホルダーの底部を被冠する水膨張ゴムパッキンキャップと、ホルダーの中間のリング状の溝に係止される水膨張ゴムパッキンと、ホルダーの基端側の円弧状の凹部に係止される中空円盤状のフランジとからなるものにしたことにより、ステップをコンクリート面に確実，強固に取り付けるコンクリート躯体へのステップの取付装置を実現した。
【実施例１】
【０００９】
図１及び図２は本発明に係るコンクリート躯体へのステップの取付装置の実施例に関するものであり、図１はステップの脚部をコンクリート躯体に固定した断面平面図、図２はホルダーの正面図である。
【００１０】
各図において、１はコンクリート躯体２に取り付けられるコ字状のステップ（全体は図示せず。）の側部であり、該側部１の先端側には凹凸３（例えば、ネジ溝又は異形筋状等の凹凸形状）が形成されたステップの挿入部位である脚部４が形成されている。
そして、前記側部１の外周には後述するホルダーの基端側が嵌合される円弧状の凹部溝５が形成されている。
【００１１】
６はガラスウール材のキャップであり、該ガラスウール材のキャップ６は袋状で前記脚部４に被冠させてから接着剤７をガラスウール材のキャップ６に含浸させる。
【００１２】
８はホルダーであり、該ホルダー８は合成樹脂製で前記ガラスウールキャップ６が挿入されて前記脚部４が保持される有底中空部を有し、外周に複数の接着剤流出窓９，９，…が形成されている。また、ホルダー８の底部側及び中間の外周にはリング状の溝１０，１０が形成され、基端側の外周には円弧状の凹部１１が形成されている。
【００１３】
１２は水膨張ゴムパッキンキャップであり、該水膨張ゴムパッキンキャップ１２は前記ホルダー８の底部側のリング状の溝１０に係止され、前記ホルダー８の底部の全体を被冠している。
また、１３はリング状の水膨張ゴムパッキンであり、該水膨張ゴムパッキン１３は前記ホルダー８の中間のリング状の溝１０に係止されている。
【００１４】
１４は中空円盤状のフランジであり、該フランジ１４は前記ホルダー８の基端側の円弧状の凹部１１にはめ込まれ、このフランジ１４がコンクリート躯体２の内面の形状に合わせて位置されることにより、コンクリート躯体２の内面にフランジ１４が密着されるものである。
【００１５】
以上の構成からなるコンクリート躯体へのステップの取付装置であって、前記ホルダー８に水膨張ゴムパッキンキャップ１２及び水膨張ゴムパッキン１３を挿着し、該ホルダー８を前記コンクリート躯体２に穿設した取付孔１５に挿着する。そして、前記ガラスウール材のキャップ６を前記脚部４に被冠させてから接着剤７をガラスウール材のキャップ６に含浸させ、該脚部４をホルダー８内に圧入することにより、含浸された接着剤７が滲み出してステップの脚部４に形成した凹凸３と前記ガラスウール材のキャップ６の内面，ガラスウール材のキャップ６の外面とホルダー８の内面及びホルダー８の外周と取付孔１５の内面が接着剤７により固定され、ステップが接着剤７により強固にコンクリート躯体２に取り付けられる。特に、ガラスウール材の特性により接着剤７により固まることでガラスウール材が硬くなりステップの脚部４をホルダー８により強固な固定をし、ガラスウール材が耐薬品性，耐熱性にも優れているのでガラスウール材の劣化を軽減させてステップのがたつきを防止することができる。また、前記ホルダー８に水膨張ゴムパッキンキャップ１２及び水膨張ゴムパッキン１３を挿着したことにより、外部からの水の侵入を防止し、ステップのがたつき，抜けを防止する。
【００１６】
なお、前記接着剤７を粘性の高いエポキシ系２液を混合したものを使用することが有利である。
このようなエポキシ系２液を混合したものを用いると、ステップの脚部４に形成した凹凸３とガラスウール材のキャップ６の内面，ガラスウール材のキャップ６の外面とホルダー８の内面及びホルダー８の外周と取付孔１５の内面の接着がより優れたものになり、ステップがより強固に接着剤７によりコンクリート躯体２に取り付けられる。
【００１７】
また、中空円盤状のフランジ１４は、前記ホルダー８を前記コンクリート躯体２に穿設した取付孔１５に挿着する際に、該ホルダー８の基端側の円弧状の凹部１１にはめ込まれてコンクリート躯体２の内面に当接させる。そして、フランジ１４はそのはめ込み時には円弧状の凹部１１の部分で揺動可能であるので、該フランジ１４をコンクリート躯体２の内面に沿わせるようにし、該フランジ１４をコンクリート躯体２の内面の形状に合わせて密着させて、よりホルダー８が確実に固定されると共にコンクリート躯体２の内面からの水等の侵入を防止し、ステップのがたつきを防止することができる。
【図面の簡単な説明】
【００１８】
【図１】本発明の実施例に係るコンクリート躯体へのステップの取付装置のステップの脚部をコンクリート躯体に固定した断面平面図である。
【図２】ホルダーの正面図である。
【符号の説明】
【００１９】
２ コンクリート躯体
３ 凹凸
４ 脚部
６ ガラスウール材のキャップ
７ 接着剤
８ ホルダー
９ 接着剤流出窓
１０ リング状の溝
１１ 円弧状の凹部
１２ 水膨張ゴムパッキンキャップ
１３ 水膨張ゴムパッキン
１４ フランジ
１５ 取付孔
【図１】
0004733083.tif 000002
【図２】
0004733083.tif 000003